(57)【要約】【課題】取付金具が装着されるようになっている端末内リンクと外リンクとを連結するピンの摩耗を抑制して、ピン摩耗寿命向上を図ることができ、端末内リンクの内プレートの負荷変形量を小さくして疲労強度の低下を抑制できるリーフチェーンを提供することを目的とする。【解決手段】リーフチェーン１は、外プレート２及び中間プレート３からなる外リンク４と、複数枚の内プレート５からなる内リンク６とが交互に組み合わされてピン１１で屈曲自在に連結され、チェーン端部の端末内リンク７には、取付金具１２が装着可能になっている。端末内リンク７は、複数枚重ねられた内プレート８のブシュ孔８ａにブシュ９をシマリバメして形成された内プレート群１０を備えると共に、内プレート群１０のブシュ９にスキマバメされたピン１１により外リンク４に連結されている。【選択図】図１
2009243481.tif 000002
【特許請求の範囲】
【請求項１】
両外側に配置された外プレート及び該外プレート間に配置された中間プレートからなる外リンクと、複数枚重ねられた内プレートからなる内リンクとが交互に組み合わされてピンで屈曲自在に連結され、チェーン端部の端末内リンクには、取付金具が装着可能になっているリーフチェーンにおいて、
前記端末内リンクは、複数枚重ねられた内プレートのブシュ孔に貫通して単一のブシュをシマリバメして形成された内プレート群を備えると共に、該内プレート群のブシュにスキマバメされたピンにより隣接する前記外リンクに連結されていることを特徴とするリーフチェーン。
【請求項２】
前記端末内リンクが連結される前記外リンクは、複数枚重ねられた中間プレートからなり、該複数枚重ねられた中間プレートのブシュ孔に貫通して単一のブシュがシマリバメされ、該ブシュに前記ピンがスキマバメされていることを特徴とする請求項１記載のリーフチェーン。
【請求項３】
前記端末内リンクが連結される前記外リンクの外プレートのブシュ孔にブシュがシマリバメされ、該ブシュに前記ピンがスキマバメされていることを特徴とする請求項２記載のリーフチェーン。
【発明の詳細な説明】
【技術分野】
【０００１】
本発明は、吊下げ用、昇降用、荷揚用（例えば、フォークリフト）、工作機械でのヘッドとカウンターウェートの平衡用、あるいはモーション伝達用として用いられるリーフチェーンに関する。
【背景技術】
【０００２】
リーフチェーンは、つば付き形状のプーリに巻掛けられて使用され、通常の伝動用チェーンなどのようにエンドレス（無端状）ではなく、途中途切れたもので、途切れたチェーン両端部に取付金具などを連結して使用するものである。リーフチェーンに連結される取付金具は使用態様によって種々の形状のものがあり、必ずしもそうとはいえないが、一般的には、取付金具は別体のものとしてチェーン使用者が適宜に作成して装着するようになっている。
【０００３】
従来、両外側に配置された外プレート及び該外プレート間に配置された中間プレートからなる外リンクと、複数枚重ねられた内プレートからなる内リンクとが交互に組み合わされて、ピンで屈曲自在に連結されたリーフチェーンが知られている（例えば、特許文献１参照。）。
【０００４】
図８に従来のリーフチェーン２１の一例を示す。リーフチェーン２１は、両外側に配置された外プレート２２及び外プレート２２の間に複数枚重ねて配置された中間プレート２３からなる多数の外リンク２４と、複数枚重ねられた内プレート２５からなる多数の内リンク２６とが交互に組み合わされて、ピン２８で屈曲自在に連結されて形成されている。
【０００５】
この場合、外プレート２２の一対のピン孔２２ａにピン２８がシマリバメされ、中間プレート２３の一対のピン孔２３ａ及び内プレート２５の一対のピン孔２５ａそれぞれにピン２８がスキマバメされ、チェーン２１両端部（図８では一方の端部のみを示している。）の端末内リンク２７に取付金具２９が装着可能になっている。なお、本明細書において、「スキマバメ」とは、軸と穴を組み合わせたときに、常に隙間ができる嵌め合いで、穴の公差域が完全に軸の公差域の上側にある嵌め合いをいい、また、「シマリバメ」とは、軸と穴を組み合わせたときに、常に締めしろができる嵌め合いで、穴の公差域が完全に軸の公差域の下側にある嵌め合いをいう。
【特許文献１】実開昭６１−２０４０４２号公報
【発明の開示】
【発明が解決しようとする課題】
【０００６】
リーフチェーン２１は、チェーン両端部の取付金具２９が装着されている端末内リンク２７の内プレート２５に応力が集中するため、給油が適切に行われれていないと、端末内リンク２７の内プレート２５のピン孔２５ａにスキマバメされているピン２８が摩耗しピン２８が破断する、という問題がある。ちなみに、リーフチェーン２１を吊下げ用、昇降用、荷揚用、工作機械でのヘッドとカウンターウェートの平衡用などに使用して不良になったときの状態を調べてみると、端末内リンク２７の内プレート２５のピン孔２５ａとピン２８との摩耗が顕著となっている。
【０００７】
上記のようなピン摩耗、屈曲性などを考慮して、通常ピン孔２５ａとピン２８との摩耗寿命向上のために給油を行うが、ピン孔２５ａとピン２８との間からしみ出た油が内プレート２５間の隙間からにじみ出て無給油状態になり、ピン孔、ピン等の摩耗抑制が充分に行われない、という問題がある。また、各内プレート２５が独立して各ピン孔２５ａにピン２８がスキマバメされているため、内プレート２５の負荷変形量が大きく疲労強度が劣る、という問題があり、さらに、つば付き形状のプーリと接触する際、内プレート２５が斜めの状態で進入した場合、プーリ外周面と内プレート２５との接触面積が小さくなり、大きな騒音が発生する、という問題がある。
【０００８】
そこで、本発明は、前記従来技術の問題を解決し、取付金具が装着されるようになっている端末内リンクと外リンクとを連結するピンの摩耗を抑制して、ピン摩耗寿命向上を図ることができ、端末内リンクの内プレートの負荷変形量を小さくして疲労強度の低下を抑制でき、プーリと接触する際、内プレートが斜めの状態で進入することを防止して、大きな騒音が発生するのを防止することができるリーフチェーンを提供することを目的とする。
【課題を解決するための手段】
【０００９】
前記課題を解決するために、請求項１に係る本発明は、両外側に配置された外プレート及び該外プレート間に配置された中間プレートからなる外リンクと、複数枚重ねられた内プレートからなる内リンクとが交互に組み合わされてピンで屈曲自在に連結され、チェーン端部の端末内リンクには、取付金具が装着可能になっているリーフチェーンにおいて、前記端末内リンクは、複数枚重ねられた内プレートのブシュ孔に貫通して単一のブシュをシマリバメして形成された内プレート群を備えると共に、該内プレート群のブシュにスキマバメされたピンにより隣接する前記外リンクに連結されているリーフチェーン、という構成としたものである。
【００１０】
請求項２に係る本発明は、前記請求項１に係る本発明のリーフチェーンにおいて、前記端末内リンクが連結される前記外リンクは、複数枚重ねられた中間プレートからなり、該複数枚重ねられた中間プレートのブシュ孔に貫通して単一のブシュがシマリバメされ、該ブシュに前記ピンがスキマバメされている、という構成としたものである。
【００１１】
請求項３に係る本発明は、前記請求項２に係る本発明のリーフチェーンにおいて、前記端末内リンクが連結される前記外リンクの外プレートのブシュ孔にブシュがシマリバメされ、該ブシュに前記ピンがスキマバメされている、という構成としたものである。
【発明の効果】
【００１２】
請求項１に係る本発明によれば、両外側に配置された外プレート及び該外プレート間に配置された中間プレートからなる外リンクと、複数枚重ねられた内プレートからなる内リンクとが交互に組み合わされてピンで屈曲自在に連結され、チェーン端部の端末内リンクには、取付金具が装着可能になっているリーフチェーンにおいて、前記端末内リンクは、複数枚重ねられた内プレートのブシュ孔に貫通して単一のブシュをシマリバメして形成された内プレート群を備えると共に、該内プレート群のブシュにスキマバメされたピンにより隣接する前記外リンクに連結されているので、前記外リンクと端末内リンクとを連結するピンは、ブシュ孔の内周面との摺動接触面積が増大し、両者の面圧が低下するため、ピンの摩耗を抑制し、ピン摩耗寿命の向上を図ることができる。
【００１３】
端末内リンクは、複数枚重ねられた内プレートのブシュ孔に貫通して単一のブシュをシマリバメして端末内プレート群を形成しているので、端末内プレート群が１つのブロック状となって剛性が増すため、内プレートの負荷変形量を少なくして疲労強度の低下を抑制することができると共に、給油した時は、油がブシュとピンとの間に確保され、内プレートの間からのしみ出すのを防止できるため給油回数を少なくすることができる。
【００１４】
さらに、複数枚重ねられた内プレートのブシュ孔に貫通して単一のブシュをシマリバメして端末内プレート群が形成されているので、複数枚の内プレートを同時にブシュに挿入することができるため、組立性を向上させることができると共に、プレート挿入忘れのポカミス対策が可能になる。また、つば付き形状のプーリと接触する際、端末内プレート群が１つのブロック状となっているため、内プレートが斜めの状態で進入することを防止して、大きな騒音が発生するのを防止することができる。
【００１５】
請求項２に係る本発明のリーフチェーンによれば、前記請求項１に係る本発明のリーフチェーンが奏する効果に加えて、前記端末内リンクが連結される前記外リンクは、複数枚重ねられた中間プレートからなり、該複数枚重ねられた中間プレートのブシュ孔に貫通して単一のブシュがシマリバメされ、該ブシュに前記ピンがスキマバメされているので、ブシュの内周面とピンとの摺動接触面積が増大するため、ピンの摩耗を抑制することができる。
【００１６】
また、請求項３に係る本発明のリーフチェーンによれば、請求項２に係る本発明のリーフチェーンが奏する効果に加えて、前記端末内リンクが連結される前記外リンクの外プレートのブシュ孔にブシュがシマリバメされ、該ブシュに前記ピンがスキマバメされているので、端末内リンクと隣接する外リンクとの屈曲を円滑に行うことができる。
【発明を実施するための最良の形態】
【００１７】
本発明の実施例を図１〜図７に基づいて説明する。図１は実施例のリーフチェーンの一部である端部を示す平面図、図２はリーフチェーンの一部を示す側面図、図３はリーフチェーンの一部斜視図、図４はリーフチェーンの端部に取付金具を装着する場合の説明図である。図５は変形例１のリーフチェーンの端部を示す平面図、図６は変形例２のリーフチェーンの端部を示す平面図、図７はつば付き形状のプーリの正面図である。
【００１８】
図１〜図３に示すように、リーフチェーン１は、両外側に配置された外プレート２及び該外プレート２，２間に配置された２枚重ね合わせた中間プレート３からなる外リンク４と、３枚重ね合わせた内プレート５からなる内リンク６とが交互に組み合わされてピン１１で屈曲自在に連結されてなり、チェーン端部における端末内リンク７には、取付金具１２が装着可能になっている。
【００１９】
チェーン端部以外のところでは、外リンク４と内リンク６とはピン１１で連結されているが、ピン１１は、両端が両外側に配置された外プレート２のピン孔２ａにシマリバメされ、外リンク４の重ねた中間プレート３のピン孔３ａ、及び内リンク６の重ねた内プレート５のピン孔５ａにスキマバメされている。
【００２０】
チェーン端部の端末内リンク７の内プレート８には、一対のブシュ孔８ａが穿設され、重ねられた内プレート８のブシュ孔８ａに貫通して１つのブシュ９がシマリバメされる。このブシュ９がシマリバメされた複数枚の内プレート８は端末内プレート群１０を形成し、１つのブロック状になっている。図１〜図４に示すように、端末内リンク７に備えられた端末内プレート群１０は、ブシュ９にスキマバメされたピン１１により、隣接する外リンク４に屈曲自在に連結される。すなわち、端末内リンク７は、ピン１１により外リンク４に連結される。この場合、内プレート８の一対のブシュ孔８ａにブシュ９をシマリバメするようにしておくと、組立時に外リンク４側、取付金具１２側などその前後、表裏を考慮することなく組付けでき、組立性が向上する。
【００２１】
端末内プレート群１０を備えた端末内リンク７には、取付金具１２が装着可能となっている。取付金具１２を装着するときは、図４に示すように、端末内プレート群１０のブシュ９にスキマバメした継ぎ手ピン１３に取付金具１２を連結すればよい。図４における符号１４は割ピンである。なお、この実施例では、外リンク４を構成する中間プレート３が２枚組合せのものとしたが、１枚でも複数枚でもよい。同様に、内プレート５，８も２枚又は３枚以上の組合せとしてもよく、また、中間プレート３の組合せ、内プレート８の組合せ等の組数は適宜で中間プレートの組、内プレートの組が交互に組み合わされたものであればよい。
【００２２】
上記構成からなるリーフチェーン１の作用効果は次のとおりである。リーフチェーン１は、図７に示すような、つば付き形状のプーリ１５に巻掛けられて、例えば、吊下げ用として使用される。この場合、端末内リンク７の端末内プレート群１０のブシュ９にピン１１がスキマバメされているので、ブシュ９とピン１１との摺動接触面積が増大し、両者の面圧が低下するため、ピン１１の摩耗を抑制し、摩耗寿命の向上を図ることができる。
【００２３】
また、端末内リンク７の重ねられた内プレート８は、ブシュ孔８ａに貫通して単一のブシュ９をシマリバメして端末内プレート群１０として形成されているので、端末内プレート群１０が１つのブロック状となって剛性が増すため、内プレート８の負荷変形量を少なくして疲労強度の低下を抑制することができる。それと共に、給油した時は、油がブシュ９とピン１１との間に確保され、内プレート８の間からしみ出すのを防止できるため給油回数を少なくすることができる。
【００２４】
さらに、重ねられた内プレート８が端末内プレート群１０として形成されているので、複数枚の内プレート８を同時にブシュ９に挿入してシマリバメすることができるため、組立性を向上させることができると共に、プレート挿入忘れのポカミスを防止することができる。また、つば付きプーリ１５と接触する際、端末内プレート群１０が１つのブロック状となっているため、内プレート８が斜めの状態で進入することを防止して、大きな騒音発生を防止することができる。
【００２５】
以上実施例のリーフチェーンについて説明したが、リーフチェーンの変形例１，２を図５、図６に示す。図５に示すように、変形例１のリーフチェーンは、端末内リンク７がブシュ９を有する端末内プレート群１０からなり、外リンク４が２枚重ねられた中間プレート３からなり、この２枚重ねられた中間プレート３のブシュ孔３ｂには、貫通して単一のブシュ３ｃがシマリバメされ、このブシュ３ｃにピン１１がスキマバメされる。そのため、ブシュ３ｃとピン１１との摺動接触面積が増大するため、ピン１１の摩耗を抑制することができる。
【００２６】
変形例２のリーフチェーンは、図６に示すように、全てのプレートにブシュがシマリバメされたものである。すなわち、端末内リンク７の重ねられた内プレート８のブシュ孔８ａ、外リンク４の重ねられた中間プレート３のブシュ孔３ｂ、外プレート２のブシュ孔２ｂに、それぞれブシュ９，３ｃ、２ｃがシマリバメされたものである。この場合は、外リンク４と端末内リンクとの屈曲を円滑に行うことができる。
【図面の簡単な説明】
【００２７】
【図１】本発明実施例のリーフチェーンの一部を示す平面図である。
【図２】リーフチェーンの一部を示す側面図である。
【図３】リーフチェーンの一部斜視図正面図である。
【図４】リーフチェーンの端部に取付金具を装着する場合の説明図である。
【図５】変形例１のリーフチェーンの端部を示す平面図である。
【図６】変形例２のリーフチェーンのの端部を示す平面図である。
【図７】つば付き形状のプーリの正面図である。
【図８】従来のリーフチェーンの端部を示す平面図である。
【符号の説明】
【００２８】
１    リーフチェーン                  ２    外プレート
２ａ  ピン孔                          ２ｂ  ブシュ孔
２ｃ  ブシュ                          ３    中間プレート
３ａ  ピン孔                          ３ｂ  ブシュ孔
３ｃ  ブシュ                          ４    外リンク
５    内プレート                      ５ａ  ピン孔
６    内リンク                        ７    端末内リンク
８    端末内リンクの内プレート        ８ａ  ブシュ孔
９    ブシュ                          １０  端末内プレート群
１１  ピン                            １２  取付金具
１３  継ぎ手ピン                      １４  割ピン
１５  つば付き形状のプーリ
【図１】
2009243481.tif 000003
【図２】
2009243481.tif 000004
【図３】
2009243481.tif 000005
【図４】
2009243481.tif 000006
【図５】
2009243481.tif 000007
【図６】
2009243481.tif 000008
【図７】
2009243481.tif 000009
【図８】
2009243481.tif 000010